(57)【要約】【課題】遊戯媒体として用いるボールの滞留を抑制し、ゲームをスムーズに進行できるプッシャー型メダルゲーム機を提供する。【解決手段】プッシャー型メダルゲーム機は、複数のメダルが載置されるとともに複数のボールが供給されるフィールド面を有する固定テーブルと、フィールド面から落下したメダルを、回収するユーザ側メダル回収部と、フィールド面に載置されたメダルを、ユーザ側メダル回収部に向かって押し出すプッシャーと、メダルの移動を妨げることなく、ボールをフィールド面の側部から内方へと誘導するガイド部と、を備え、ガイド部は、フィールド面の側部側を基端として内方へ延伸した棒状の本体部と、本体部のボールとの当接面において、本体部の延伸方向とフィールド面の側部とによりなす角が緩やかになるように、この角を覆うように設けられた直線形状またはフィールド面の側部側に向かって凸型に湾曲した湾曲形状の緩和部とを有する。【選択図】図３
2018079133.tif 000002
【特許請求の範囲】
【請求項１】
複数のメダルが載置されるとともに複数のボールが供給される領域であるフィールド面を有する固定テーブルと、
前記フィールド面から落下したメダルを回収するユーザ側メダル回収部と、
前記フィールド面に載置されたメダルを、該ユーザ側メダル回収部に向かって押し出すプッシャーと、
前記メダルの移動を妨げることなく、前記ボールを前記フィールド面の側部から内方へと誘導するガイド部と、を備え、
前記ガイド部は、
前記フィールド面の側部側を基端として内方へ延伸した棒状の本体部と、
前記本体部の前記ボールとの当接面において、該本体部の延伸方向と、前記フィールド面の側部とによりなす角が緩やかになるように、当該なす角を覆うように設けられた直線形状または上記フィールド面の側部側に向かって凸型に湾曲した湾曲形状の緩和部と、を有するプッシャー型メダルゲーム機。
【請求項２】
前記ガイド部は、前記フィールド面の側部の後端部よりも前方位置において、前記本体部が該フィールド面の側部と交差するように設けられており、
前記緩和部は、前記フィールド面の側部の後端部と、前記本体部における前記ボールとの当接面との間に配置された可撓性の薄板状部材により構成される、請求項１に記載のプッシャー型メダルゲーム機。
【請求項３】
前記ガイド部は、前記本体部の延伸方向と前記フィールド面の側部との間でなす角の大きさを変更可能とするように、該本体部の基端側において回転自在に設けられており、
前記薄板状部材からなる前記緩和部は、前記本体部における前記ボールとの当接面と接する側の端部、および前記フィールド面の側部の後端部と接する側の端部のうち何れか一方が固定され、他方は固定されていない請求項２に記載のプッシャー型メダルゲーム機。
【請求項４】
前記プッシャーの前端部に設けられ、該プッシャーの押出し動作に伴って前記フィールド面上の前記ボールを前方かつ外方へ押出す、ボール押出し部を更に備え、
前記ボール押出し部は、前記ボールと当接して該ボールを押出すための押出し面を有している請求項３に記載のプッシャー型メダルゲーム機。
【請求項５】
前記プッシャーの前端部に、該プッシャー上のメダルが指定された領域を通過したか否か検知する、複数のチャッカーを備え、
前記押出し部は、複数の前記チャッカーのうち、前記フィールド面の側部の方に配置されたチャッカーに取り付けられており、
前記押出し部の前記押出し面は、前記チャッカーの前端面よりも前記フィールド面の側部の方へ張り出している請求項４に記載のプッシャー型メダルゲーム機。
【発明の詳細な説明】
【技術分野】
【０００１】
本発明は、メダル等の遊戯媒体を用いたゲームを行うプッシャー型メダルゲーム機に関する。
【背景技術】
【０００２】
従来、メダルゲーム機の一種としてプッシャーゲーム機が知られている。一般的なプッシャーゲーム機は、多数のメダルが載置されたフィールドと、フィールド上のメダルを押すプッシャーとを備えている。このようなプッシャーゲーム機では、ユーザにより投入口からメダルが投入されると、この投入されたメダルがフィールドに供給され、プッシャーによってフィールド上のメダルが押される。そして、押されたメダルがフィールド外の指定された範囲内に落ちると、この落ちたメダルがユーザの獲得メダルとなる。
【０００３】
また、近年では、メダルとは別種の遊戯媒体としてボールをフィールドに供給し、ユーザの射幸性を高めたプッシャーゲーム機が開発されている（例えば、特許文献１）。このようなプッシャーゲーム機は、フィールドに供給されたボールが、フィールド上にあるメダルとともに運ばれ、指定された範囲内に落ちると、メダルと仕分けされて搬送機構を介して抽選装置に搬送される。そして、搬送されたボールは抽選の媒体となる。このように、フィールドにボールを投入することでユーザに視覚的変化を持たせたり、ボールを抽選装置の抽選媒体とすることで射幸性を高めたりすることができる。
【先行技術文献】
【特許文献】
【０００４】
【特許文献１】特開２００２−２５３８４２号公報
【発明の概要】
【発明が解決しようとする課題】
【０００５】
しかしながら、プッシャー型メダルゲーム機において、メダルに加え、ボールを遊戯媒体として用いる場合、ボールがフィールドの一定の場所に滞留し、ゲームの進行を遅滞させるという問題がある。
【０００６】
そこで本発明は、遊戯媒体として用いるボールの滞留を抑制し、ゲームをスムーズに進行できるプッシャー型メダルゲーム機を提供することを目的とする。
【課題を解決するための手段】
【０００７】
本発明に係るプッシャー型メダルゲーム機は、上記した課題を解決するために、複数のメダルが載置されるとともに複数のボールが供給される領域であるフィールド面を有する固定テーブルと、前記フィールド面から落下したメダルを回収するユーザ側メダル回収部と、前記フィールド面に載置されたメダルを、該ユーザ側メダル回収部に向かって押し出すプッシャーと、前記メダルの移動を妨げることなく、前記ボールを前記フィールド面の側部から内方へと誘導するガイド部と、を備え、前記ガイド部は、前記フィールド面の側部側を基端として内方へ延伸した棒状の本体部と、前記本体部の前記ボールとの当接面において、該本体部の延伸方向と、前記フィールド面の側部とによりなす角が緩やかになるように、当該なす角を覆うように設けられた直線形状または上記フィールド面の側部側に向かって凸型に湾曲した湾曲形状の緩和部と、を有する。
【０００８】
上記構成によると、ガイド部を備えるため、フィールド面に載置されたボールをフィールド面の側部から内方へと導くことができる。また、ガイド部は緩和部を有するため、ガイド部の本体部の延伸方向とフィールド面の側部とによってなす角部分にボールがはまりこむことを防ぐことができる。つまり、緩和部によって当該なす角が緩やかとなるため、この角部分にボールが嵌りこむことを防ぎ、フィールド面の側部に向かうようにボールに作用する力の方向をガイド部に沿った方向へと転向させることができる。このため、ボールはガイド部の当接面に沿ってフィールドの内方へと移動することができる。
【０００９】
よって、本発明に係るプッシャー型メダルゲーム機は、遊戯媒体として用いるボールの滞留を抑制し、ゲームをスムーズに進行できるという効果を奏する。
【００１０】
本発明に係るプッシャー型メダルゲーム機は、上記した構成において、前記ガイド部は、前記フィールド面の側部の後端部よりも前方位置において、前記本体部が該フィールド面の側部と交差するように設けられており、前記緩和部は、前記フィールド面の側部の後端部と、前記本体部における前記ボールとの当接面との間に配置された可撓性の薄板状部材により構成されてもよい。
【００１１】
上記構成によると緩和部が可撓性の薄板状部材により構成されているため、本体部の延伸方向と前記フィールド面の側部とによりなす角に向かうようにボールに作用する力の方向を、ガイド部の当接面に沿う方向へと容易に転向させることができる。
【００１２】
本発明に係るプッシャー型メダルゲーム機は、上記した構成において、前記ガイド部は、前記本体部の延伸方向と前記フィールド面の側部との間でなす角の大きさを変更可能とするように、該本体部の基端側において回転自在に設けられており、前記薄板状部材からなる前記緩和部は、前記本体部における前記ボールとの当接面と接する側の端部、および前記フィールド面の側部の後端部と接する側の端部のうち何れか一方が固定され、他方は固定されていない構成であってもよい。
【００１３】
上記構成によると、ガイド部は回転自在に取り付けられているため、ガイド部によりボールを案内したい方向を自由に調整することができる。また、薄板状部材からなる緩和部の両端部のうちのいずれか一方側だけで固定されているため、ガイド部が回転しガイド部の当接面とフィールド面の側部とによってなす角の大きさを変更されたとしても、この変更にあわせて緩和部は容易にその形状を変形させることができる。このため、回転後のガイド部の位置に合わせた形状を有する緩和部を別途、準備する必要がなく製造コストを抑制することができる。
【００１４】
本発明に係るプッシャー型メダルゲーム機は、上記した構成において、前記プッシャーの前端部に設けられ、該プッシャーの押出し動作に伴って前記フィールド面上の前記ボールを前方かつ外方へ押出す、ボール押出し部を更に備え、前記ボール押出し部は、前記ボールと当接して該ボールを押出すための押出し面を有した構成であってもよい。
【００１５】
上記構成によるとボール押出し部を備えているため、プッシャーの押出し動作に伴って、メダルとともにボールも前方へと押し出すことができる。このため、本発明に係るプッシャー型メダルゲーム機は、フィールド面の後方に滞留しているボールを前方に押出すことができる。また、押し出されたボールはガイド部の当接面と接するため、結果的にボールをフィールド面の内方へと導くことができる。
【００１６】
また、本発明に係るプッシャー型メダルゲーム機は、上記した構成において、前記プッシャーの前端部に、該プッシャー上のメダルが指定された領域を通過したか否か検知する、複数のチャッカーを備え、前記押出し部は、複数の前記チャッカーのうち、前記フィールド面の側部の方に配置されたチャッカーに取り付けられており、前記押出し部の前記押出し面は、前記チャッカーの前端面よりも前記フィールド面の側部の方へ張り出している構成であってもよい。
【００１７】
上記構成によると、前記押出し部の前記押出し面は、前記チャッカーの前端面よりも前記フィールド面の側部の方へ張り出している。このため、チャッカーとフィールド面の側部との間に形成されるスペースに滞留するボールをプッシャーの押出し動作に伴って前方に押し出すことができる。
【発明の効果】
【００１８】
本発明によれば、遊戯媒体として用いるボールの滞留を抑制し、ゲームをスムーズに進行できるプッシャー型メダルゲーム機を提供することができる。
【図面の簡単な説明】
【００１９】
【図１】本実施の形態に係るプッシャー型メダルゲーム機の外観構成を示す斜視図である。
【図２】図１に示すプッシャー型メダルゲーム機が備えるゲームプレイフィールドの構成を概略的に示す図である。
【図３】図２に示すゲームプレイフィールドを示す平面図である。
【図４】図３に示すゲームプレイフィールドにおいてガイド部と境界部（フィールド面の側部）とによってなす角部分を示す拡大図である。
【図５】本発明の実施の形態の変形例１に係るプッシャー型メダルゲーム機が備えるゲームプレイフィールドの一例を示す斜視図である。
【図６】図５に示すゲームプレイフィールドの平面図である。
【発明を実施するための形態】
【００２０】
以下、本発明の実施の形態に係るプッシャー型メダルゲーム機１について、図面を参照しつつ説明する。
【００２１】
［プッシャー型メダルゲーム機の構成］
図１は、本実施の形態に係るプッシャー型メダルゲーム機１の外観構成を示す斜視図である。図１に示すように、プッシャー型メダルゲーム機１は、遊戯スペースを提供する複数のサテライト２（図１の例では６つのサテライト２）が側面に設けられた略円筒形状をしている。つまり、プッシャー型メダルゲーム機１の側面は複数の柱部３によって複数のサテライト２に区切られている。そして、柱部３の間を不図示の透明なカバーで覆い、該カバーによりユーザは、直接、各サテライト２の遊戯スペース内の各種機構に触れることができない構成となっている。
【００２２】
カバー内には、例えば、メダルＭが載置されるゲームプレイフィールド４、およびゲーム内容等を表示する複数のモニタから構成された表示部（不図示）等の各種機構が設けられる。一方、カバーの外側には、ユーザが獲得したメダルＭが払出される払出し口５、ならびに操作ボタンおよび操作レバー等からなる操作部（不図示）等の各種機構が設けられている。
【００２３】
各サテライト２では、例えば、操作部が２組設けられており、２人のユーザがゲームを行うことができるように構成されていてもよい。このように構成される場合、プッシャー型メダルゲーム機１は、最大で１２人のユーザにより同時にゲームをプレイすることができる。
【００２４】
本実施の形態に係るプッシャー型メダルゲーム機１は、特にゲームプレイフィールド４の構成に特徴がある。そこで、以下においてゲームプレイフィールド４の構成について図２‐４を参照して説明する。
【００２５】
［ゲームプレイフィールドの構成］
図２は、図１に示すプッシャー型メダルゲーム機１が備えるゲームプレイフィールド４の構成を概略的に示す図である。図３は、図２に示すゲームプレイフィールド４を示す平面図である。図３では説明の便宜上、遊戯媒体としてボールＢのみを図示しており、メダルＭについては、図示を省略している。また、図３ではフィールド面５０の中央位置を示すために中心線０が一点鎖線により示されている。また、図３では、前後方向に往復運動するプッシャーテーブル４２が前方に位置したときの状態を破線で示している。図４は、図３に示すゲームプレイフィールド４においてガイド部４５と境界部５２（フィールド面５０の側部）とによってなす角部分を示す拡大図である。
【００２６】
プッシャー型メダルゲーム機１が備えるゲームプレイフィールド４は、図２に示すように、固定テーブル４１、ユーザ側メダル回収部４３、プッシャーテーブル（プッシャー）４２、サイド収容部４４、およびガイド部４５を備える。
【００２７】
本明細書では、ゲームプレイフィールド４において、ユーザの立ち位置側（ユーザ側メダル回収部４３が設けられる側）を「前」、その反対側を「後」と称する。また、中心線０を基準として、前から後ろに向かってみたときのゲームプレイフィールド４の左側を「左側部」、右側を「右側部」と称する。
【００２８】
図２、３に示すように固定テーブル４１は、複数のメダルＭが載置されるとともに、複数のボールＢが供給される領域である矩形状のフィールド面５０と、その左右の側部においてフィールド面５０の外部に設けられた右外部領域５１Ｒおよび左外部領域５１Ｌとを有する。フィールド面５０（ゲームプレイフィールド４）の左右方向において、中心線０側を「内方」、右外部領域５１Ｒおよび左外部領域５１Ｌ側を「外方」と称する。なお、右外部領域５１Ｒおよび左外部領域５１Ｌを特に区別して説明する必要がない場合は単に外部領域５１と称するものとする。
【００２９】
プッシャーテーブル４２はフィールド面５０を挟んでユーザ側メダル回収部４３と対向する位置に配置され、フィールド面５０に載置された複数のメダルＭの一部を、このユーザ側メダル回収部４３に向かって押し出すテーブルである。すなわち、プッシャーテーブル４２は、固定テーブル４１の後方に配置され、プッシャーテーブル４２の上面が固定テーブル４１のフィールド面５０よりも高い位置となるように段差を形成する。そして、図３に示すように、プッシャーテーブル４２はフィールド面５０の前後方向に往復運動することによりフィールド面５０に載置された複数のメダルＭの一部をユーザ側メダル回収部４３に向かって（前方に）押出すことができる。
【００３０】
プッシャーテーブル４２が前後方向に往復運動することによりフィールド面５０に載置されたメダルＭの主たる移動方向は、図３に示すように、ユーザ側メダル回収部４３に向かう方向（前方：図３における矢印ａ）と、フィールド面５０から左側部の左外部領域５１Ｌへ向かう方向および右側部の右外部領域５１Ｒへ向かう方向（前方かつ外方：図３における矢印ｂ）となる。ここで、ボールＢはメダルＭの移動に追従して移動するため、メダルＭ上にあるボールＢの主たる移動方向も、メダルＭの移動方向と同様となる。
【００３１】
また、プッシャーテーブル４２の前端部には複数（図２、３では３つ）のチャッカー４６が設けられている。本実施形態のチャッカー４６は、図２、３に示すとおり、左チャッカー４６Ｌ、中央チャッカー４６Ｃ、右チャッカー４６Ｒの３つを含む。チャッカー４６は、例えば、不図示のセンサ（接触式のリミットスイッチまたは非接触式の近接スイッチなど）を備える。センサは、プッシャーテーブル４２上のメダルＭが指定された領域を通過したか否かを検知する。
【００３２】
図２、３において特に図示していないが、プッシャー型メダルゲーム機１では、略直方体形状のチャッカー４６の上面にメダルＭを通過させる開口部が設けられている。この開口部にメダルＭが入ると、センサはこのメダルＭの通過を検知する。メダルＭがチャッカー４６を通過すると、表示部（不図示）の表示を用いた所定のゲームが開始される。
【００３３】
ユーザ側メダル回収部４３は、フィールド面５０の前方から落下したメダルＭをユーザの取り分として回収する。ユーザ側メダル回収部４３は、図２に示すように、固定テーブル４１の前端部に設けられた溝形状の部材であり、フィールド面５０に載置されているメダルＭとともにボールＢも該ユーザ側メダル回収部４３に落下させる構成としてもよい。このように構成される場合、ユーザ側メダル回収部４３は、メダルＭの通過のみを可能とする間隙（不図示）を複数設け、フィールド面５０から落下したメダルＭとボールＢとを仕分けできる構成となっている。なお、ユーザ側メダル回収部４３により回収されたメダルＭは、払出し口５からユーザに払出される。
【００３４】
外部領域５１は、図３に示すようにフィールド面５０の外方において左側部および右側部それぞれと隣接するように設けられており、ユーザの獲得対象外となるメダルＭが回収される領域である。外部領域５１には、直方体形状を有する中空のサイド収容部４４が設けられており、サイド収容部４４のフィールド面５０と隣接する側部がフィールド面５０と外部領域５１との境界を画成する境界部５２となっている。
【００３５】
また、サイド収容部４４におけるフィールド面５０と隣接する側部（境界部５２）にはボールＢは通過できないがメダルＭは通過できる程度の間隙４４ａが形成されている。プッシャーテーブル４２の前後方向への往復運動に伴ってフィールド面５０に載置されたメダルＭが押し出されると、押し出されたメダルＭのいくつかはフィールド面５０からフィールド面５０の側部に向かって、つまり前方かつ外方に向かって移動する。そして、フィールド面５０の側部に向かって移動したメダルＭが、さらにプッシャーテーブル４２の前後方向への往復運動に伴って押し出されると、この押し出されたメダルＭのいくつかは間隙４４ａを通じて、外部領域５１に設けられたサイド収容部４４内へと移動する。
【００３６】
このサイド収容部４４内へと移動したメダルＭは、サイド収容部４４内に設けられた開口（不図示）を通じて指定された場所に落下する。そして、この指定された場所に落下したメダルＭは、プッシャー型メダルゲーム機１内のホッパーなどに貯留され、ゲーム進行に応じてゲームプレイフィールド４に排出される。
【００３７】
なお、ゲームプレイフィールド４は、固定テーブル４１におけるフィールド面５０にボールＢを供給する供給機構（不図示）を備える。供給機構は、例えば、右側部の右外部領域５１Ｒ上に設けられる。フィールド面５０に供給されたボールＢは、フィールド面５０の右方から左方に向かって、フィールド面５０上のメダルＭの上を転がり、フィールド面５０の所定の位置で停止する。
【００３８】
また、供給機構は、左側部の左外部領域５１Ｌ上に設けられてもよい。この場合、フィールド面５０に供給されたボールＢは、フィールド面５０の左方から右方に向かって、メダルＭの上を転がり、フィールド面５０の所定の位置で停止する。供給機構の詳細については、周知技術であるため説明を省略する。
【００３９】
ガイド部４５は、ボールＢをフィールド面５０の側部から該フィールド面５０の内方へと誘導する部材である。ガイド部４５は、図２、３に示すように、フィールド面５０の外方から内方に向かって形成されており、中心線０に対して左右対象に配置された部材である。本実施形態では、フィールド面５０の左に位置するガイド部４５を左ガイド部４５Ｌとし、フィールド面５０の右に位置するガイド部４５を右ガイド部４５Ｒと称する。また、特に左ガイド部４５Ｌおよび右ガイド部４５Ｒを区別して説明する必要がない場合は、単にガイド部４５と称する。ガイド部４５は、メダルＭの移動を妨げることがないように、フィールド面５０の上面から所定の高さに設けられている。
【００４０】
なお、左ガイド部４５Ｌよりも右ガイド部４５Ｒを前方側に設けた構成としてもよい。この場合、右外部領域５１Ｒ上に設けられた供給機構によるボールＢの供給が、右側部の右ガイド部４５Ｒによって妨げられない。
【００４１】
ガイド部４５は、フィールド面５０の側部側を基端としてフィールド面５０の内方に向かって設けられている。より具体的には、ガイド部４５は、フィールド面５０の中央前方に向かって延伸した棒状の本体部４５ａと、ボールＢと当接する当接面４５ｂとを備える。さらにガイド部４５は、本体部４５ａの延伸方向と境界部５２（フィールド面５０の側部）とによりなす角（∠Ａ：以下単に角Ａという。）が、緩やかになるように設けられた緩和部４７を有する。
【００４２】
緩和部４７は、図４に示すように、角Ａを覆って設けられており、フィールド面５０の側部側（外方）に向かって凸型に湾曲した形状である。なお、緩和部４７の形状は、これに限定されるものではない。緩和部４７は、角Ａが緩やかになる形状であればよい。例えば、緩和部４７は、直線形状であってもよい。
【００４３】
すなわち、上述したように、供給機構から供給されたボールＢは、外部領域５１に向かって移動することがある。このため、角ＡにボールＢがはまり込むことがある。角ＡにボールＢがはまり込むと、図３に示すようにボールＢには外部領域５１側に移動しようとする力が加わる。この場合、ボールＢはこの角Ａの近傍に滞留し、プッシャーテーブル４２の往復運動によっても転動しない。
【００４４】
そこで、本実施の形態に係るプッシャー型メダルゲーム機１では、角Ａに、緩和部４７を設けることにより、角ＡにボールＢが嵌りこむことを防ぐことができる。また、角Ａに向かうボールＢの進行を妨げることができる。
【００４５】
また、図４に示すようにガイド部４５は、境界部５２（フィールド面５０の側部）の後端部５２ａよりも前方位置において、本体部４５ａが該境界部５２と交差するように設けられている。そして、緩和部４７は、境界部５２の後端部５２ａと本体部４５ａの当接面４５ｂとの間に配置される。緩和部４７は、可撓性の薄板状部材（例えば、板バネ、樹脂板）により構成される。
【００４６】
なお、図４に示すように、ガイド部４５の本体部４５ａと緩和部４７とは別体として形成され、本体部４５ａに緩和部４７を固定させている。なお、本体部４５ａと緩和部４７とを一体に形成してもよい。
【００４７】
このように、ガイド部４５が緩和部４７を備えるため、フィールド面５０の外方に向かうボールＢに作用する力を、本体部４５ａの当接面４５ｂに沿ってフィールド面５０の内方に向かう方向への力に転向させることができる。
【００４８】
なお、緩和部４７は、供給機構が右外部領域５１Ｒに設けられているサテライト２では、左ガイド部４５Ｌだけに設けられる。一方、供給機構が左外部領域５１Ｌに設けられているサテライト２では、右ガイド部４５Ｒだけに設けられる。このように、緩和部４７は、供給機構が設けられる側とは反対側となるガイド部４５に設けられる構成であるがこの構成に限定されない。例えば、供給機構が右外部領域５１Ｒまたは左外部領域５１Ｌいずれに設けられているかに関わらず、左ガイド部４５Ｌおよび右ガイド部４５Ｒの両方に設けられていてもよい。
【００４９】
また、ガイド部４５は、角Ａの大きさを可変とする構成であってもよい。これを実現する構成としては、例えば、ガイド部４５を、本体部４５ａの基端側においてサイド収容部４４に回転自在に取り付けてもよい。ガイド部４５が回転自在に取り付けられている場合、ガイド部４５によりボールＢを案内したい方向を自由に調整することができる。
【００５０】
また、薄板状部材からなる緩和部４７は、その両端部のうち、ガイド部４５の当接面４５ｂと接する側の端部がこの当接面４５ｂに固定されている。このため、ガイド部４５を回転させて角Ａの大きさを変更させたとしても、緩和部４７はこの角Ａの大きさの変更にあわせて形状を容易に変形させることができる。従って、回転後のガイド部４５の位置に合わせた形状を有する緩和部４７を別途、準備する必要がなく製造コストを抑制できる。
【００５１】
なお、実施の形態に係るプッシャー型メダルゲーム機１では、ガイド部４５の当接面４５ｂと接する側の緩和部４７の端部を該当接面４５ｂに固定する構成であったが、これに限定されるものではない。逆に、境界部５２の後端部５２ａと接する側の緩和部４７の端部を、該境界部５２の後端部５２ａに固定させる構成としてもよい。
【００５２】
（変形例１）
次に、実施の形態の変形例１に係るプッシャー型メダルゲーム機１０の構成について図５、６を参照して説明する。図５は本発明の実施の形態の変形例１に係るプッシャー型メダルゲーム機１０が備えるゲームプレイフィールド４の一例を示す斜視図である。また、図６は、図５に示すゲームプレイフィールド４の平面図である。図６では、ゲームプレイフィールド４における中心線０の左側部のみを示している。
【００５３】
図５、６に示すように、実施の形態の変形例１に係るプッシャー型メダルゲーム機１０は、実施の形態に係るプッシャー型メダルゲーム機１と比較してゲームプレイフィールド４にボール押出し部４９をさらに備える点で異なる。それ以外の部材は実施の形態の変形例１に係るプッシャー型メダルゲーム機１０と実施の形態に係るプッシャー型メダルゲーム機１とは同様であるため同じ部材には同じ符号を付し、その説明は省略するものとする。
【００５４】
ボール押出し部４９は、図５、６に示すように、プッシャーテーブル４２の押出し動作に伴ってフィールド面５０上のボールＢを前方かつ外方へ押し出す部材である。ボール押出し部４９は、プッシャーテーブル４２の前端部に設けられた複数のチャッカー４６のうちフィールド面５０の外方に配置されたチャッカー４６に取り付けられている。図５、６では、左チャッカー４６Ｌにボール押出し部４９が設けられている。
【００５５】
ボール押出し部４９は、略平板形状をしており、後側の端部にチャッカー４６に取り付けるための取付金具４９ｂを備える。ボール押出し部４９の側部のうち、ガイド部４５に近い側の側部は、ガイド部４５の本体部４５ａの延伸方向に合わせた角度に斜めに傾斜している。すなわち、図５、６に示すように、ボール押出し部４９が左チャッカー４６Ｌに取り付けられている場合は、ボール押出し部４９の左側の側部が、左ガイド部４５Ｌの本体部４５ａの延伸方向に合わせた角度に傾斜している。これにより、プッシャーテーブル４２の往復運動時（ボール押出し部４９の移動時）に、左ガイド部４５Ｌとボール押出し部４９とが干渉しない。
【００５６】
なお、ボール押出し部４９は、供給機構が右外部領域５１Ｒに設けられているサテライト２では、前述のとおり左チャッカー４６Ｌだけに設けられる。一方、供給機構が左外部領域５１Ｌに設けられているサテライト２では、ボール押出し部４９は、右チャッカー４６Ｒだけに設けられる。この場合、ボール押出し部４９の右側の側部は、右ガイド部４５Ｒの本体部４５ａの延伸方向に合わせた角度に傾斜する形状となる。
【００５７】
このように、ボール押出し部４９は、供給機構が設けられる側とは反対側となるチャッカー４６に設けられる構成であるがこの構成に限定されない。例えば、供給機構が右外部領域５１Ｒまたは左外部領域５１Ｌいずれに設けられているかに関わらず、ボール押出し部４９は、左チャッカー４６Ｌおよび右チャッカー４６Ｒの両方に設けられていてもよい。
【００５８】
供給機構およびボール押出し部４９の位置は適宜変更することができる。また、ボール押出し部４９はチャッカー４６に備えられる構成に限定されず、プッシャーテーブル４２に（チャッカー４６を介せずに）備えられる構成であってもよい。
【００５９】
ボール押出し部４９の前端縁には、押出し面４９ａが形成されている。押出し面４９ａは、ボールＢと当接するとともにボールＢを押しだす部材である。上述したように、ボール押出し部４９の左側の側部が、左ガイド部４５Ｌの本体部４５ａの延伸方向に合わせた角度に傾斜しており、押出し面４９ａは、プッシャーテーブル４２の前方向かつ外方に向けられている。図６に示すように、本実施形態では、押出し面４９ａは、プッシャーテーブル４２（フィールド面５０）の前方向かつ左方向に向けられている。
【００６０】
このため、プッシャーテーブル４２の往復動作にともなってボール押出し部４９が往復移動すると、ボールＢは、左ガイド部４５Ｌに向かって転動するように押しだされ、左ガイド部４５Ｌまたは上述した緩和部４７と当接する。その後、プッシャーテーブル４２の押出し動作が繰り返されることにより、ボールＢはガイド部４５に沿ってフィールド面５０前方かつ内方に誘導される。
【００６１】
また、図５、６に示すように押出し面４９ａは、チャッカー４６の前端面よりもフィールド面５０の側部（図５、６の例では左側部）の方へ張り出した形状をしている。このため、左チャッカー４６Ｌの側方のスペース（左チャッカー４６Ｌとフィールド面５０の側部との間に形成されるスペース）に滞留するボールＢを、プッシャーテーブル４２の往復動作にともなって、フィールド面５０の前方かつ内方に押し出すことができる。
【００６２】
このように、変形例１に係るプッシャー型メダルゲーム機１０は、ボール押出し部４９を備え、その押出し面４９ａは、プッシャーテーブル４２（フィールド面５０）の前方かつ外方に向いている。このため、ガイド部４５の当接面４５ｂ側において、上述した角ＡにボールＢが位置する（滞留する）場合であっても、ボール押出し部４９によってガイド部４５の当接面４５ｂに当接するようにボールＢを移動させることができる。よって、角ＡにボールＢがはまりこみ滞留することを防ぐことができる。
【産業上の利用可能性】
【００６３】
本発明は、遊戯媒体としてメダルおよびボールを用いるプッシャーゲーム機に適用することができる。
【符号の説明】
【００６４】
１      プッシャー型メダルゲーム機
１０    プッシャー型メダルゲーム機
４１    固定テーブル
４２    プッシャーテーブル
４３    ユーザ側メダル回収部
４４    サイド収容部
４５    ガイド部
４５ａ  本体部
４５ｂ  当接面
４６    チャッカー
４７    緩和部
４９    ボール押出し部
４９ａ  押出し面
５０    フィールド面
５１    外部領域
５２    境界部
５２ａ  後端部
Ｂ      ボール
Ｍ      メダル
【図１】
2018079133.tif 000003
【図２】
2018079133.tif 000004
【図３】
2018079133.tif 000005
【図４】
2018079133.tif 000006
【図５】
2018079133.tif 000007
【図６】
2018079133.tif 000008